(57)【要約】【課題】制震ダンパー自体にギャップ機構を付加することにより、経済性及び施工性を維持しつつ建物の層崩壊あるいは最弱層の甚大な被害を防止することを可能にし、且つ建物の層間変形量がギャップ幅未満である場合においても制震効果を発揮させることが可能な制震ダンパーを提供する。【解決手段】制震ダンパーＡが奇数枚の複数の鋼板１、２、３と粘弾性体４、５とを交互に積層して構成され、積層方向Ｏ１最外方の鋼板１（３）を含んで１枚おきに配された鋼板１、３が外鋼板とされ、隣り合う外鋼板１、３の間に配された鋼板２が中鋼板とされており、隣り合う外鋼板１、３の側端部１ｃ、１ｄ、３ｃ、３ｄ側の間に、中鋼板２と隙間Ｈをあけて、且つ隣り合う外鋼板１、３に一体に固着して、ギャップ機構のストッパー部材６、７を設ける。【選択図】図１
2010001700.tif 000002
【特許請求の範囲】
【請求項１】
建物の架構内に架設されて前記建物に作用した地震エネルギーを減衰させる制震ダンパーであって、
奇数枚の複数の鋼板と、粘弾性体とを交互に積層して構成され、
前記複数の鋼板のうち、積層方向最外方の鋼板を含んで１枚おきに配された鋼板が、第１接合部材を介して一端部を前記架構に接続する外鋼板とされ、隣り合う前記外鋼板の間に配された鋼板が、第２接合部材を介して他端部を前記架構に接続する中鋼板とされており、
前記隣り合う外鋼板の側端部側の間には、該隣り合う外鋼板の間に配された前記中鋼板の側端部との間に隙間をあけて、且つ前記隣り合う外鋼板に一体に固着して、ギャップ機構のストッパー部材が設けられていることを特徴とする制震ダンパー。
【請求項２】
請求項１記載の制震ダンパーにおいて、
前記積層方向最外方の前記外鋼板には、表面に座屈防止用の補強リブが設けられていることを特徴とする制震ダンパー。
【発明の詳細な説明】
【技術分野】
【０００１】
本発明は、建物の架構内に架設されてこの建物に作用した地震エネルギーを減衰させる制震ダンパーに関する。
【背景技術】
【０００２】
例えば中高層建物がレベル１地震動、レベル２地震動の特大地震を受けると、建物の最弱層に損傷が生じて耐力が低下し始め、この層に地震エネルギーが集中して層崩壊が生じ、他の層は健全性が確保されているにもかかわらず、層崩壊モードによって建物が崩壊に至るという現象が発生する。また、崩壊に至らない場合においても、最弱層の被害が甚大となり、補修による復旧が困難になる。
【０００３】
一方、従来から、壁内蔵型、間柱型、ブレース型の制震ダンパーを建物の架構内に設置（架設）する対策が多用されている（例えば、特許文献１参照）。この種の制震ダンパーは、地震によって建物に層間変形が生じると、層間変形量に応じて制震ダンパー内の鋼材あるいは粘弾性系材料が変形し、この変形とともに地震エネルギーを吸収して減衰させ、建物の応答を低減させる。
【０００４】
しかしながら、特大地震を受けると、制震ダンパー内の鋼材あるいは粘弾性系材料に過大な変形が生じて剛性が低下し、制震ダンパーによる応答低減効果が小さくなってしまう。このため、制震ダンパーを建物の架構内に設置した場合においても、特大地震時には、やはり建物の最弱層に損傷が集中的に生じ、建物の崩壊、最弱層の甚大な被害を避けることが難しい。
【０００５】
これに対し、特許文献２に開示されるように、交点が上部梁と対峙するようにＫ型ブレースを設け、上部梁に鋼材ダンパー（制震ダンパー）を設け、さらに鋼材ダンパーとの間にギャップが形成されるように、Ｋ型ブレースの交点に突起（ギャップ機構）を設けて構成した制震機構がある。
【０００６】
この制震機構においては、ギャップ幅以上の層間変形が生じた際に、鋼材ダンパーと突起が当接し、鋼材ダンパーの剛性によって梁の水平力がＫ型ブレースに伝達され、このＫ型ブレースがせん断力を負担する層せん断耐力増強部材（層せん断力増強機構）として機能する。これにより、制震機構を設置した層の剛性が高められ、地震エネルギーを建物の各層に分散させることが可能になる。一方、層間変形がさらに大きくなり、鋼材ダンパーの剛性が限界点を超えると、鋼材ダンパーが塑性変形することによって地震エネルギーを吸収するエネルギー吸収機構として機能する。これにより、過大な層間変形が阻止される。
【０００７】
このようにギャップ幅以上の層間変形が生じた際に、Ｋ型ブレースや鋼材ダンパーが層間変形量に応じて層せん断耐力増強機構、エネルギー吸収機構として機能することにより、地震時に建物の層間変形が平準化され、建物全体で地震エネルギーを吸収することが可能になる。よって、この制震機構を建物の架構内に設置することにより、建物の層崩壊を防止することが可能になる。
【特許文献１】特開２００４−１３２４１５号公報
【特許文献２】特開２０００−１７８８７号公報
【発明の開示】
【発明が解決しようとする課題】
【０００８】
しかしながら、上記従来の制震機構においては、制震ダンパー（鋼材ダンパー）と個別に新たにギャップ機構（突起）を設ける必要があり、ギャップ機構の製作、施工に手間がかかり、コスト高を招くという問題があった。
【０００９】
また、中小地震時など建物の層間変形量がギャップ幅未満である場合には、制震ダンパーとギャップ機構とが当接しないため、制震ダンパーに変形が生じることがなく、制震ダンパーが全く制震効果を発揮しないという問題があった。
【００１０】
本発明は、上記事情に鑑み、制震ダンパー自体にギャップ機構を付加することにより、経済性及び施工性を維持しつつ建物の層崩壊あるいは最弱層の甚大な被害を防止することを可能にし、且つ建物の層間変形量がギャップ幅未満である場合においても制震効果を発揮させることが可能な制震ダンパーを提供することを目的とする。
【課題を解決するための手段】
【００１１】
上記の目的を達するために、この発明は以下の手段を提供している。
【００１２】
本発明の制震ダンパーは、建物の架構内に架設されて前記建物に作用した地震エネルギーを減衰させる制震ダンパーであって、奇数枚の複数の鋼板と、粘弾性体とを交互に積層して構成され、前記複数の鋼板のうち、積層方向最外方の鋼板を含んで１枚おきに配された鋼板が、第１接合部材を介して一端部を前記架構に接続する外鋼板とされ、隣り合う前記外鋼板の間に配された鋼板が、第２接合部材を介して他端部を前記架構に接続する中鋼板とされており、前記隣り合う外鋼板の側端部側の間には、該隣り合う外鋼板の間に配された前記中鋼板の側端部との間に隙間を設けて、且つ前記隣り合う外鋼板に一体に固着して、ギャップ機構のストッパー部材が設けられていることを特徴とする。
【００１３】
この発明においては、地震エネルギーが作用して建物に層間変形が生じるとともに、互いに隣り合う外鋼板と中鋼板とが相対変位する。そして、ギャップ機構のストッパー部材と中鋼板とのギャップ幅未満（隙間の幅未満）で外鋼板と中鋼板とが相対変位する場合には、これら外鋼板と中鋼板が相対変位するとともに粘弾性体が変形し、この粘弾性体の粘弾性抵抗力によって地震エネルギーが吸収され、建物の応答を低減させることが可能になる。すなわち、この制震ダンパーは、奇数枚の複数の鋼板と粘弾性体とを交互に積層した粘弾性ダンパーに対し、隣り合う外鋼板の間にストッパー部材を設けるようにして構成されている。このため、建物の層間変形量がギャップ幅未満である場合には、従来の粘弾性ダンパーの制震効果をそのまま発揮させることが可能になる。
【００１４】
一方、建物にギャップ幅以上の層間変形が生じる場合には、中鋼板の側端部がストッパー部材に当接し、この制震ダンパーを設置した層に作用するせん断力の一部がストッパー部材を介して外鋼板と中鋼板に伝達され、制震ダンパーを層せん断耐力増強部材として機能させることが可能になる。さらに、このようにギャップ幅以上の層間変形が生じて外鋼板と中鋼板が相対変位する場合においても、粘弾性体が変形することによるエネルギー吸収効果が発揮される。
【００１５】
また、本発明の制震ダンパーにおいて、前記積層方向最外方の前記外鋼板には、表面に座屈防止用の補強リブが設けられていることが望ましい。
【００１６】
この発明においては、最外方の外鋼板の表面に補強リブを設けることによって、せん断力の一部がストッパー部材を介して外鋼板と中鋼板に伝達され、制震ダンパーが層せん断耐力増強部材として機構する際に、高い応力まで最外方の外鋼板がせん断座屈することを防止でき、確実に層せん断耐力増強効果を発揮させることが可能になる。
【発明の効果】
【００１７】
本発明の制震ダンパーによれば、中小地震時に建物の層間変形量がギャップ幅未満である場合には、外鋼板と中鋼板とが相対変位するとともに粘弾性体が変形することで、地震エネルギーを吸収して減衰させることができ、従来の粘弾性ダンパーと同様の制震効果をそのまま発揮させることが可能になる。
【００１８】
また、特大地震時に建物にギャップ幅以上の層間変形が生じた場合には、中鋼板の側端部がストッパー部材に当接することにより、制震ダンパーを層せん断耐力増強部材として機能させることが可能になる。このため、特大地震時の建物全体の応答を平準化させることが可能になり、建物の層崩壊あるいは最弱層の被害が甚大となり補修による復旧が困難になる事態を防止することが可能になる。
【００１９】
そして、中鋼板の側端部との間に隙間をあけて隣り合う外鋼板の間にストッパー部材を設けるというシンプルな構成であるため、制震ダンパー自体に安価でギャップ機構を付加することが可能になる。また、従来の粘弾性ダンパーの隣り合う外鋼板の間にストッパー部材を設けるようにして構成されているため、従来の粘弾性ダンパーの設置方法を変更することなく、建物の架構内に設置することが可能である。これにより、制震ダンパーにギャップ機構を付加した場合においても、経済性及び施工性を維持することが可能になる。
【発明を実施するための最良の形態】
【００２０】
以下、図１から図４を参照し、本発明の一実施形態に係る制震ダンパーについて説明する。本実施形態は、建物の架構内に架設されて、地震時に建物に作用した地震エネルギーを吸収して減衰させ、建物の応答を低減させるための制震ダンパーに関するものである。
【００２１】
本実施形態の制震ダンパーＡは、壁内蔵型の粘弾性ダンパーであり、図１から図３に示すように、矩形平板状に形成された３枚の鋼板１、２、３（奇数枚の複数の鋼板）と、例えばアスファルト系ゴムや高減衰ゴムなどの粘弾性体４、５とを交互に積層して構成されている。また、積層方向Ｏ１最外方の２枚の鋼板１、３（積層方向Ｏ１最外方の鋼板１（３）を含んで１枚おきに配された鋼板）が外鋼板とされ、これら外鋼板１、３の間に配された鋼板２（隣り合う外鋼板１、３の間に配された鋼板）が中鋼板とされている。
【００２２】
この制震ダンパーＡは、外鋼板１、３の上端部（一端部１ａ、３ａ）が中鋼板２の上端部（一端部２ａ）よりも上方に延出し、中鋼板２の下端部（他端部２ｂ）が外鋼板１、３の下端部（他端部１ｂ、３ｂ）よりも下方に延出して形成されている。また、外鋼板１、３の側端部１ｃ、１ｄ、３ｃ、３ｄが中鋼板２の側端部２ｃ、２ｄよりも外側に延出して形成されている。
【００２３】
さらに、本実施形態の制震ダンパーＡにおいては、２枚の外鋼板１、３の両側端部１ｃ、１ｄ、３ｃ、３ｄ側のそれぞれの間に、これら外鋼板１、３で挟み込むように、ギャップ機構を構成するストッパー部材６、７が設けられている。このストッパー部材６、７は、例えば帯状の鋼板であり、外鋼板１、３の側端部１ｃ、１ｄ、３ｃ、３ｄに沿って配置され、中鋼板２の側端部２ｃ、２ｄとの間に所定幅の隙間Ｈ（ギャップ）をあけて設けられている。また、ストッパー部材６、７は、中鋼板２が当接した際にせん断力の一部を外鋼板１、３に伝達させる必要があるため、例えばボルト締めや溶接などによって２枚の外鋼板１、３に一体かつ強固に固着して設けられている。
【００２４】
そして、このように構成した制震ダンパーＡは、従来の粘弾性ダンパーに対し、中鋼板２の側端部２ｃ、２ｄとの間に隙間をあけて（ギャップＨを設けて）２枚の外鋼板１、３の間にストッパー部材６、７を設けるというシンプルな構成であり、この制震ダンパーＡ自体に安価でギャップ機構（ストッパー部材６、７）が付加されている。
【００２５】
ついで、本実施形態の制震ダンパーＡの作用及び効果について説明する。
【００２６】
はじめに、本実施形態の制震ダンパーＡは、アンカーなどで上部梁１０ａ（架構１０）に固設した接合部材（第１接合部材１１）に、２枚の外鋼板１、３の上端部１ａ、３ａ側をボルトとナットで接続するとともに、アンカーなどで下部梁１０ｂ（架構１０）に固設した接合部材（第２接合部材１２）に、中鋼板２の下端部２ｂ側をボルトとナットで接続して、建物の架構１０内に設置（架設）される。このとき、本実施形態においては、２枚の外鋼板１、３の上端部１ａ、３ａ側の間に第１接合部材１１が挿入され、フィラープレート１３、１４を介して、外鋼板１、３と第１接合部材１１とがボルトとナットで一体に接続される。また、中鋼板２と第２接合部材１２とが、接合プレート１５、１６を介してボルトとナットで一体に接続される。
【００２７】
このように本実施形態の制震ダンパーＡは、従来の粘弾性ダンパーの設置方法を変更することなく、建物の架構１０内に設置される。このため、ギャップ機構（ストッパー部材６、７）を設けた場合においても、施工性を損なうことがない。
【００２８】
そして、建物の所定階（所定の層）の架構１０内に設置した制震ダンパーＡは、中小地震の発生時に、建物に作用した地震エネルギーによって上部梁１０ａと下部梁１０ｂが相対的に変位し層間変形が生じるとともに、外鋼板１、３と中鋼板２がこの層間変形量に応じて相対変位する。このとき、中小地震時の層間変形量に対し、ストッパー部材６、７と中鋼板２のギャップ幅Ｔ未満（隙間Ｈの幅未満）の相対変位量で外鋼板１、３と中鋼板２が変位するように、予めギャップ幅Ｔ（すなわちストッパー部材６、７（ギャップ機構）の位置）を設定しておくことで、中鋼板２の動きがストッパー部材６、７で妨げられることがない。このため、ストッパー部材６、７と中鋼板２とのギャップ幅Ｔ未満で外鋼板１、３と中鋼板２とが相対変位する中小地震時には、これら外鋼板１、３と中鋼板２が相対変位するとともに粘弾性体４、５が変形し、粘弾性体４、５の粘弾性抵抗力によって地震エネルギーが吸収され、建物の応答が低減される。すなわち、建物の層間変形量がギャップ幅Ｔ未満である場合には、従来の粘弾性ダンパーの制震効果がそのまま発揮される。
【００２９】
一方、レベル１地震動（構造物の供用期間内に１〜２度発生する確率をもつ地震動）やレベル２地震動（極めて稀であるが非常に強い地震動）の特大地震が発生した際には、建物にギャップ幅Ｔ以上の層間変形が生じ、外鋼板１、３と中鋼板２が相対変位するとともに中鋼板２の側端部２ｃ、２ｄがストッパー部材６、７に当接する。そして、中鋼板２とストッパー部材６、７とが接触するとともに、制震ダンパーＡを設置した層に作用するせん断力の一部がストッパー部材６、７を介して外鋼板１、３と中鋼板２に伝達され、制震ダンパーＡが層せん断耐力増強部材として機能する。このように制震ダンパーＡが層せん断耐力増強部材として機能することで、建物に作用したせん断力が建物全体に分散され、建物全体の応答が平準化される。さらに、ギャップ幅Ｔ以上で外鋼板１、３と中鋼板２が相対変位する場合においても、粘弾性体４、５が変形することによるエネルギー吸収効果が発揮され、このエネルギー吸収効果によって建物の応答が低減される。これにより、建物の層崩壊あるいは最弱層の甚大な被害の発生が防止される。
【００３０】
ここで、図４は、制震ダンパーＡを設置していない場合と、ギャップ機構を備えていない従来の制震ダンパーを設置した場合と、１ｃｍのギャップ幅Ｔでストッパー部材６、７（ギャップ機構）を設けた本実施形態の制震ダンパーＡを設置した場合における４０階建ての高層建物の各階の層間変位（層間変形量）のシミュレーション結果を示している。このシミュレーションでは、建物にセンター波Ｌ２の地震動（７０ｋｉｎｅ）を入力している。この図から、制震ダンパーＡを設置していない場合には、低層階の層間変位が大きくなり、従来の制震ダンパーを設置した場合には、制震ダンパーＡを設置していない場合に対し、中層階の層間変位が小さくなる反面、低層階及び上層階の変位が大きくなることが確認された。一方、本実施形態の制震ダンパーＡを設置した場合には、制震ダンパーＡを設置していない場合に対し、ほぼ全ての階で層間変位が小さくなり、特大地震時の応答が平準化されることが確認された。
【００３１】
したがって、本実施形態の制震ダンパーＡにおいては、ギャップ機構のストッパー部材６、７と中鋼板２とのギャップ幅Ｔ未満で外鋼板１、３と中鋼板２とが相対変位する中小地震時に、外鋼板１、３と中鋼板２が相対変位するとともに粘弾性体４、５が変形し、粘弾性体４、５の粘弾性抵抗力によって地震エネルギーが吸収され、建物の応答を低減させることが可能になる。このため、建物の層間変形量がギャップ幅Ｔ未満である場合には、従来の粘弾性ダンパーの制震効果をそのまま発揮させることが可能になる。
【００３２】
また、建物にギャップ幅Ｔ以上の層間変形が生じる特大地震時には、中鋼板２の側端部２ｃ、２ｄがストッパー部材６、７に当接し、制震ダンパーＡを設置した層に作用するせん断力の一部がストッパー部材６、７を介して外鋼板１、３と中鋼板２に伝達されることで、制震ダンパーＡを層せん断耐力増強部材として機能させることが可能になる。これにより、特大地震時の建物全体の応答を平準化させることが可能になり、建物の層崩壊あるいは最弱層の被害が甚大となり補修による復旧が困難になる事態を防止することが可能になる。
【００３３】
さらに、本実施形態の制震ダンパーＡにおいては、中鋼板２の側端部２ｃ、２ｄとの間に隙間Ｈをあけて、隣り合う外鋼板１、３の間にストッパー部材６、７を設けるというシンプルな構成であるため、制震ダンパーＡ自体に安価でギャップ機構を付加することが可能になる。また、このように従来の粘弾性ダンパーの外鋼板１、３の間にストッパー部材６、７を設けるようにして構成されているため、従来の粘弾性ダンパーの設置方法を変更することなく、建物の架構１０内に設置することが可能である。これにより、制震ダンパーＡにギャップ機構６、７を付加した場合においても、経済性及び施工性を維持することが可能になる。
【００３４】
以上、本発明に係る制震ダンパーの一実施形態について説明したが、本発明は上記の一実施形態に限定されるものではなく、その趣旨を逸脱しない範囲で適宜変更可能である。例えば、本実施形態では、ストッパー部材６、７を設けることで、特大地震時に建物全体の応答を平準化し、建物の層崩壊あるいは最弱層の甚大な被害の発生を防止するものとして説明を行ったが、本発明の制震ダンパーは、特大地震に対してだけでなく、長周期地震動を伴う地震時に中高層建物が共振して応答が大きくなるような場合においても、本実施形態と同様に応答低減効果、応答標準化の効果を発揮する。このため、本発明の制震ダンパーは、特大地震時の建物の応答を低減させることに限定して用いる必要はない。
【００３５】
また、本実施形態では、制震ダンパーＡが壁内蔵型の制震ダンパーであるものとして説明を行ったが、本発明の制震ダンパーは、間柱型、ブレース型の制震ダンパーとして用いてもよい。
【００３６】
さらに、本実施形態では、矩形平板状の３枚の鋼板（２枚の外鋼板１、３と中鋼板２）と、粘弾性体４、５とを交互に積層して制震ダンパーＡが構成されているものとしたが、本発明の制震ダンパーは、３枚以上の奇数枚の鋼板と粘弾性体とを交互に積層して構成されていればよく、例えば図５から図７に示すように、５枚以上の奇数枚の鋼板２０、２１、２２、２３、２４と粘弾性体２５、２６、２７、２８とを交互に積層して構成した場合には、これら複数の鋼板２０〜２４のうち、積層方向Ｏ１最外方の鋼板２０（２４）を含んで１枚おきに配された鋼板２０、２２、２４が外鋼板とされ、隣り合う外鋼板（２０と２２、２２と２４）の間にそれぞれ配された鋼板２１、２３が中鋼板とされる。また、隣り合う外鋼板（２０と２２、２２と２４）の側端部２０ａ、２０ｂ、２２ａ、２２ｂ、２４ａ、２４ｂ側の間にそれぞれ、ギャップ機構のストッパー部材２９、３０、３１、３２が、隣り合う外鋼板（２０と２２、２２と２４）の間に配された中鋼板２１、２３の側端部２１ａ、２１ｂ、２３ａ、２３ｂとの間に隙間Ｈ（ギャップ）をあけて、且つ隣り合う外鋼板（２０と２２、２２と２４）に一体に固着して設けられる。そして、このように５枚以上の鋼板２０〜２４を備えて構成した場合においても、隣り合う外鋼板（２０と２２、２２と２４）とこの隣り合う外鋼板（２０と２２、２２と２４）の間の中鋼板２１、２３とが相対変位した際に、中鋼板２１、２３の側端部２１ａ、２１ｂ、２３ａ、２３ｂがストッパー部材２９、３０、３１、３２に当接することで、制震ダンパーＡを層せん断耐力増強部材として機能させることが可能であり、本実施形態と同様の効果を得ることが可能である。
【００３７】
さらに、本実施形態では、図１、図３などに、ストッパー部材６、７が外鋼板１、３の側面のほぼ全域にわたって設置されているように図示したが、せん断力の伝達が行い得る程度に強固にストッパー部材６、７が隣り合う外鋼板１、３に固着されているのであれば、外鋼板１、３の側面の例えば下半分や上半分など、部分的にストッパー部材を設置するようにしてもよい。あるいは、複数のストッパー部材を上下に間隔をあけて配置するようにしてもよい。
【００３８】
また、本実施形態では、積層方向Ｏ１最外方に配された外鋼板１、３が矩形平板状に形成されているものとして説明を行った。そして、この場合には、特大地震時や長周期地震動を伴う地震時にギャップ幅Ｔ以上の層間変形が生じて中鋼板２の側端部２ｃ、２ｄがストッパー部材６、７に当接し、制震ダンパーＡを設置した層に作用するせん断力の一部がストッパー部材６、７を介して外鋼板１、３に伝達された際に、これら積層方向Ｏ１最外方に配された外鋼板１、３にその応力に応じた歪みが発生してせん断座屈が発生することも考えられる。
【００３９】
このため、例えば図８及び図９に示すように、積層方向Ｏ１最外方の外鋼板１、３に対し、これら外鋼板１、３の表面に座屈防止用の補強リブ３３、３４を設けるようにしてもよい。このように外鋼板１、３のそれぞれの表面に補強リブ３３、３４を設けた場合には、せん断力の一部がストッパー部材６、７を介して外鋼板１、３に伝達された際に、高い応力まで外鋼板１、３のせん断座屈を防止することができ、確実に制震ダンパーＡの層せん断耐力増強効果を発揮させることが可能になる。
【図面の簡単な説明】
【００４０】
【図１】本発明の一実施形態に係る制震ダンパーを示す正面図である。
【図２】図１のＸ１−Ｘ１線矢視図である。
【図３】図１のＸ２−Ｘ２線矢視図である。
【図４】ギャップ機構を備えた本発明の一実施形態に係る制震ダンパーの特大地震時の応答平準化効果の一例を示す図である。
【図５】本発明の一実施形態に係る制震ダンパーの変形例を示す正面図である。
【図６】図５のＸ１−Ｘ１線矢視図である。
【図７】図５のＸ２−Ｘ２線矢視図である。
【図８】本発明の一実施形態に係る制震ダンパーの変形例を示す正面図である。
【図９】図８のＸ１−Ｘ１線矢視図である。
【符号の説明】
【００４１】
１      外鋼板
１ａ    一端部（上端部）
１ｂ    他端部（下端部）
１ｃ    側端部
１ｄ    側端部
２      中鋼板
２ａ    一端部（上端部）
２ｂ    他端部（下端部）
２ｃ    側端部
２ｄ    側端部
３      外鋼板
３ａ    一端部（上端部）
３ｂ    他端部（下端部）
３ｃ    側端部
３ｄ    側端部
４      粘弾性体
５      粘弾性体
６      ストッパー部材（ギャップ機構）
７      ストッパー部材（ギャップ機構）
１０    架構
１０ａ  上部梁
１０ｂ  下部梁
１１    第１接合部材
１２    第２接合部材
２０    外鋼板
２０ａ  側端部
２０ｂ  側端部
２１    中鋼板
２１ａ  側端部
２１ｂ  側端部
２２    外鋼板
２２ａ  側端部
２２ｂ  側端部
２３    中鋼板
２３ａ  側端部
２３ｂ  側端部
２４    外鋼板
２４ａ  側端部
２４ｂ  側端部
２５    粘弾性体
２６    粘弾性体
２７    粘弾性体
２８    粘弾性体
２９    ストッパー部材（ギャップ機構）
３０    ストッパー部材（ギャップ機構）
３１    ストッパー部材（ギャップ機構）
３２    ストッパー部材（ギャップ機構）
３３    補強リブ
３４    補強リブ
Ａ      制震ダンパー
Ｈ      隙間（ギャップ）
Ｏ１    積層方向
Ｔ      ギャップ幅
【図１】
2010001700.tif 000003
【図２】
2010001700.tif 000004
【図３】
2010001700.tif 000005
【図４】
2010001700.tif 000006
【図５】
2010001700.tif 000007
【図６】
2010001700.tif 000008
【図７】
2010001700.tif 000009
【図８】
2010001700.tif 000010
【図９】
2010001700.tif 000011